(57)【要約】【課題】フィルタを通気路の上流側に配置することにより、風量調整バルブの汚染がなく、風量調整能力および操作性にも優れ、ガラリ本体と外筒本体の分解組立が容易で、部品点数も少なく安価な換気口装置を提供する。【解決手段】壁、床または天井等に設けられた貫通孔に取り付けられる外筒本体２と、外筒本体２に軸方向へ取外し可能に装着されるガラリ本体３とからなり、外筒本体２の内部に、通気路１ａの開度を調整する風量調整バルブ４が設けられ、ガラリ本体３の後端部に、通気路１ａを通る空気を濾過するフィルタ５が取外し可能に取り付けられ、外筒本体２にガラリ本体３が装着一体化された状態において、フィルタ５が風量調整バルブ４の上流側に配置されている。【選択図】図３
2020204426.tif 000002
【特許請求の範囲】
【請求項１】
家屋の壁、床または天井等に取り付けられて、室内の空気を換気するための換気口を構成する筒体形状のものであって、
前記壁、床または天井等に設けられた貫通孔に取り付けられる外筒本体と、この外筒本体に軸方向へ取外し可能に装着されるガラリ本体とからなり、
前記外筒本体の内部に、通気路の開度を調整する風量調整バルブが設けられ、
前記ガラリ本体の後端部に、通気路を通る空気を濾過するフィルタが取外し可能に取り付けられ、
前記外筒本体に前記ガラリ本体が装着一体化された状態において、前記フィルタが前記風量調整バルブの上流側に配置されている
ことを特徴とする換気口装置。
【請求項２】
前記外筒本体は、前記貫通孔に挿入固定される筒部と、この筒部の先端部に一体形成されて前記貫通孔の室内側開口周囲面に当接係合するフランジ部とからなり、
前記筒部外周には、係合バネ部材が径方向へ弾性変形可能に設けられており、前記筒部が前記貫通孔に挿入される際に、前記係合バネ部材が前記貫通孔の内周面に弾発的に当接係合して、前記筒部の前記貫通孔に対する位置決め固定がなされる
ことを特徴とする請求項１に記載の換気口装置。
【請求項３】
前記ガラリ本体は、前記外筒本体の筒部内に挿入固定される装着部と、この装着部の先端部に一体形成されて、前記外筒本体のフランジ部に嵌合固定されるガラリとからなり、
前記外筒本体の内周部と前記ガラリ本体の後端部に、互いに軸方向へ弾発的に係脱する第１および第２掛止部がそれぞれ設けられ、
前記ガラリ本体を前記外筒本体に挿入することにより、前記両掛止部が軸方向へ弾発的に掛止して、前記ガラリ本体が前記外筒本体に一体的に装着される
ことを特徴とする請求項１に記載の換気口装置。
【請求項４】
前記ガラリ本体の外周縁部は、前記外筒本体のフランジ部の内周縁部に嵌合する構造とされ、
前記ガラリ本体の装着部後端縁に、複数の前記第２掛止部が周方向へ等間隔をもって設けられるとともに、これら第２掛止部に対応する前記第１掛止部が前記外筒本体の筒部内周面に周方向へ等間隔をもって複数設けられ、
前記ガラリ本体の装着部を前記外筒本体の筒部に対して軸方向へ挿入することにより、前記第２掛止部が前記第１掛止部にそれぞれ軸方向へ弾発的に係合して、前記ガラリ本体が前記外筒本体に一体的に装着される
ことを特徴とする請求項３に記載の換気口装置。
【請求項５】
前記第２掛止部は、径方向へ弾性変形可能とされるとともに、その先端部が掛止凸部の形態とされ、
前記第１掛止部は、前記外筒本体の筒部内周面に一体的に設けられた、掛止凸部と、この掛止凸部の両側に設けられた位置決め突起とからなる
ことを特徴とする請求項４に記載の換気口装置。
【請求項６】
前記第１掛止部と第２掛止部の周方向の位置決めを行うための位置決め用印が、前記外筒本体のフランジ部と前記ガラリ本体のガラリの前面に対応して設けられている
ことを特徴とする請求項４に記載の換気口装置。
【請求項７】
前記ガラリ本体のガラリに、ガラリ本体を前記外筒本体に対してガラリ前面側から着脱操作するための手指挿入部が設けられている
ことを特徴とする請求項４に記載の換気口装置。
【請求項８】
前記ガラリ本体の装着部の後端部に、前記フィルタを取付支持するためのフィルタ取付具が取外し可能に装着され、
前記フィルタ取付具の前面側に、前記フィルタを囲繞保持するためのフィルタ保持部が形成されるとともに、前記ガラリ本体の装着部後端部に、前記フィルタ取付具に保持された前記フィルタの前面を当接支持する位置決め部が設けられている
ことを特徴とする請求項３に記載の換気口装置。
【請求項９】
前記フィルタ取付具は前記ガラリ本体の装着部後端部内周に嵌合する構造とされ、
前記ガラリ本体の装着部後端縁と前記フィルタ取付具の外周に、互いに軸方向へ弾発的に係脱する第１および第２係合部がそれぞれ複数対応して設けられ、
前記フィルタ取付具を前記ガラリ本体の装着部に対して軸方向へ挿入することにより、前記第１係合部が前記第２係合部にそれぞれ軸方向へ弾発的に係合して、前記フィルタ取付具が前記ガラリ本体に取外し可能に装着される
ことを特徴とする請求項８に記載の換気口装置。
【請求項１０】
前記第１係合部は、前記ガラリ本体の装着部後端縁に設けられた周方向へ弾性変形可能な係合スリットの形態とされるとともに、その基端部に係合凹部が形成されてなり、
前記第２係合部は、前記フィルタ取付具の外周に設けられた係合ピンの形態とされ、この係合ピンの外径寸法は、前記係合スリットの幅寸法よりも大きく、かつ前記係合凸部の内径寸法よりも小さく設定されている
ことを特徴とする請求項９に記載の換気口装置。
【請求項１１】
前記フィルタ取付具に、フィルタ取付具を手持ち操作するための手指挿入部が設けられている
ことを特徴とする請求項８に記載の換気口装置。
【請求項１２】
前記風量調整バルブは、前記外筒本体の筒部内に両端を取付け支持された支軸に、一対の弁体が開閉揺動可能に支持されてなり、
前記弁体は平板状とされるとともに、その輪郭形状が前記筒部内周面の正面断面形状に沿った形状とされてなり、
前記両弁体が最小開弁位置にあるとき、前記筒部の通気路は最大開度状態にあり、前記両弁体が最大開弁位置にあるとき、前記通気路は最小開度状態にあり、前記両弁体は、前記最小開弁位置と最大開弁位置との間でそれぞれ単独で揺動停止される構成とされている
ことを特徴とする請求項２に記載の換気口装置。
【請求項１３】
前記弁体は、前記外筒本体から前記ガラリ本体が取り外された状態において手動操作可能な構成とされ、
前記弁体の外周部には、弁体を手動操作するための手指係合部が設けられている
ことを特徴とする請求項１２に記載の換気口装置。
【発明の詳細な説明】
【技術分野】
【０００１】
本発明は換気口装置に関し、さらに詳細には、家屋の壁、床または天井等に取り付けられて、家屋内の空気を換気するための換気口を構成する技術に関する。
【背景技術】
【０００２】
家屋内の空気を換気するための換気口を構成する換気口装置、例えば、家屋内の空気を排気する排気口を構成する換気口装置としては、家屋内の空気を排気する際の風量調整や、排出空気を濾過するフィルタを備えたものがある（例えば特許文献１等参照）。
【０００３】
この種の装置は、例えば図１３に示すように、建物の壁に設けられた貫通孔（図示省略）に取り付けられる外筒本体ａと、この外筒本体ａの内径側に取外し可能に取り付けられるガラリ本体ｂとからなり、ガラリ本体ｂは、その内部に通気路を開閉する気密バルブｃが設けられるとともに、その後端部にフィルタｄが装着されてなる。
【０００４】
上記気密バルブｃは、ガラリ本体ｂの前面に設けられた操作つまみｅを回転操作することで、ねじ軸ｆを回転させることにより、このねじ軸ｆに螺進退可能に支持された上記気密バルブｃを前進後退させて、ガラリ本体ｂの通気路を開閉するように構成されている。
【０００５】
上記フィルタｄは、フィルタ着脱機構ｇにより、上記ガラリ本体ｂの後端部に取外し可能に装着される構成とされている。このフィルタ着脱機構ｇは、ガラリ本体ｂの後端部のフィルタ保持部ｈと、このフィルタ保持部ｈに係脱可能に係合固定されるフィルタ押え具ｉとからなり、これらフィルタ保持部ｈとフィルタ押え具ｉとの間に上記フィルタｄが挟持状に保持される構成とされている。
【０００６】
上記フィルタ保持部ｈとフィルタ押え具ｉとの係脱手段は、フィルタ保持部ｈに設けられた複数の切欠き係合部ｊ、ｊ、…と、これら切欠き係合部ｊ、ｊ、…に対応して上記フィルタ押え具ｉに設けられた複数の係合ピンｋ、ｋ、…とからなり、これら切欠き係合部ｊ、ｊ、…と係合ピンｋ、ｋ、…との係合関係は、上記フィルタ保持部ｈに対してフィルタ押さえ具ｉを押し込んで、これらフィルタ保持部ｈとフィルタ押え具ｉを相対回転させることにより係脱する構造とされている。
【０００７】
また、上記ガラリ本体ｂの外筒本体ａに対する取付構造は、ガラリ本体ｂに設けられた複数の掛止部ｌ、ｌ、…と、これら掛止部ｌ、ｌ、…に対応して上記外筒本体ａの内周面に設けられた複数の突起ｍ、ｍ、…とからなる掛脱手段と、さらに、ガラリ本体ｂに設けられた複数の係合突起ｎ、ｎ、…と、これら係合突起ｎ、ｎ、…に対応して上記外筒本体ａに設けられた案内嵌合部ｏとからなる位置決めロック手段との二つの手段からなり、上記ガラリ本体ｂを外筒本体ａに押し込んで、これらガラリ本体ｂと外筒本体ａを相対回転させることにより、上記掛脱手段ｌ、ｍ、…と位置決めロック手段ｎ、ｎ、…、ｏの両手段が協働して、外筒本体ａとガラリ本体ｂが取外し可能に一体結合する構造とされている。
【先行技術文献】
【特許文献】
【０００８】
【特許文献１】実用新案登録第３１６７６９９号公報
【発明の概要】
【発明が解決しようとする課題】
【０００９】
しかしながら、このような従来の換気口装置の構造では、以下に列挙するような問題点ないしは不具合があり、さらなる改良の余地があった。
【００１０】
（１）ガラリ本体ｂの通気路の風量調整を行う気密バルブｃがフィルタｄの前側、つまり換気口装置の通気路の上流側にあるため、フィルタｄの濾過機能が気密バルブｃに対してはまったく働かず、これがため、排気される室内空気中のゴミ、塵埃などの汚染物質が気密バルブｃに付着して、気密バルブｃが汚染されやすい。
【００１１】
（２）しかも、上記気密バルブｃはガラリ本体ｂ内に内蔵されているため、ガラリ本体ｂを分解しない限り、気密バルブｃの清掃は困難であるところ、ガラリ本体ｂは基本的に分解不可能な構造とされている。したがって、この換気口装置が一般家庭などに使用される実状を考慮すると、実質的に気密バルブｃの日常清掃は不可能と言わざるを得ない。
【００１２】
（３）また、気密バルブｃによる風量調整は、ガラリ本体ｂの前面の操作つまみｅを回転操作することで、ねじ軸ｆが回転して、上記気密バルブｃが前進後退する構造とされており、構造が複雑で故障しやすい。しかも、この気密バルブｃは、上記通気路の全開か全閉の二通りの風量調整しかできず、微妙な風量調整をすることができない。
【００１３】
（４）ガラリ本体ｂに対するフィルタｄの着脱、およびガラリ本体ｂの外筒本体ａに対する着脱は、それぞれ、フィルタ保持部ｈとフィルタ押え具ｉとの着脱手段ｊ、ｋ、…、および掛脱手段ｌ、ｍ、…と位置決めロック手段ｎ、ｏ、…との協働作用により行われるところ、前者のガラリ本体ｂに対するフィルタｄの着脱は、上記フィルタ保持部ｈに対してフィルタ押さえ具ｉを押し込んで、これら両者ｈ、ｉを相対回転させることにより行う構造とされ、また、後者のガラリ本体ｂの外筒本体ａに対する着脱は、上記ガラリ本体ｂを外筒本体ａに押し込んで、これら両者ｂ、ａを相対回転させることにより行う構造とされている。
【００１４】
したがって、上記着脱手段ｊ、ｋ、…と、上記掛脱手段ｌ、ｍ、…および位置決めロック手段ｎ、ｎ、…，ｏの具体的構造は、いずれも複雑でかつ操作が面倒であり、この換気口装置が一般家庭などに使用される実状を考慮すると、これら構造のさらなる簡略化および操作性の向上が要請される。
【００１５】
（５）さらに、上記ガラリ本体ｂの外筒本体ａに対する着脱操作に、これらガラリ本体ｂと外筒本体ａとの相対的回転が含まれる構造では、外筒本体ａおよびガラリ本体ｂの正面断面形状が回転動作許容する円形であることが必須であり、ガラリ本体ｂの正面形状も円形であることが求められ、デザイン的に応用の範囲が狭い。ちなみに、建物の換気口装置において、デザイン上、ガラリ本体の正面形状に円形以外の正方形や矩形等の四角形などが求められることもあり、このような用途には採用不可能である。
【００１６】
（６）換気口装置を構成する構成部品の部品点数が構造上多くて、製品コストが高い。
【００１７】
本発明はかかる従来の問題点に鑑みてなされたものであって、その目的とするところは、フィルタを通気路の上流側に配置することにより、風量調整バルブの汚染がなく、風量調整能力および操作性にも優れ、ガラリ本体と外筒本体の分解組立が容易で、部品点数も少なく安価な換気口装置を提供することにある。
【課題を解決するための手段】
【００１８】
上記目的を達成するため、本発明の換気口装置は、家屋の壁、床または天井等に取り付けられて、室内の空気を換気するための換気口を構成する筒体形状のものであって、上記壁、床または天井等に設けられた貫通孔に取り付けられる外筒本体と、この外筒本体に軸方向へ取外し可能に装着されるガラリ本体とからなり、上記外筒本体の内部に、通気路の開度を調整する風量調整バルブが設けられ、上記ガラリ本体の後端部に、通気路を通る空気を濾過するフィルタが取外し可能に取り付けられ、上記外筒本体に上記ガラリ本体が装着一体化された状態において、上記フィルタが上記風量調整バルブの上流側に配置されていることを特徴とする。
【００１９】
好適な実施態様として、以下の構成が採用される。
（１）上記外筒本体は、上記貫通孔に挿入固定される筒部と、この筒部の先端部に一体形成されて上記貫通孔の室内側開口周囲面に当接係合するフランジ部とからなり、上記筒部外周には、係合バネ部材が径方向へ弾性変形可能に設けられており、上記筒部が上記貫通孔に挿入される際に、上記係合バネ部材が上記貫通孔の内周面に弾発的に当接係合して、上記筒部の上記貫通孔に対する位置決め固定がなされる。
【００２０】
（２）上記ガラリ本体は、上記外筒本体の筒部内に挿入固定される装着部と、この装着部の先端部に一体形成されて、上記外筒本体のフランジ部に嵌合固定されるガラリとからなり、上記外筒本体の内周部と上記ガラリ本体の後端部に、互いに軸方向へ弾発的に係脱する第１および第２掛止部がそれぞれ設けられ、上記ガラリ本体を上記外筒本体に挿入することにより、上記両掛止部が軸方向へ弾発的に掛止して、上記ガラリ本体が上記外筒本体に一体的に装着される。
【００２１】
（３）上記ガラリ本体の外周縁部は、上記外筒本体のフランジ部の内周縁部に嵌合する構造とされ、上記ガラリ本体の装着部後端縁に、複数の上記第２掛止部が周方向へ等間隔をもって設けられるとともに、これら第２掛止部に対応する上記第１掛止部が上記外筒本体の筒部内周面に周方向へ等間隔をもって複数設けられ、上記ガラリ本体の装着部を上記外筒本体の筒部に対して軸方向へ挿入することにより、上記第２掛止部が上記第１掛止部にそれぞれ軸方向へ弾発的に係合して、上記ガラリ本体が上記外筒本体に一体的に装着される。
【００２２】
（４）上記第２掛止部は、径方向へ弾性変形可能とされるとともに、その先端部が掛止凸部の形態とされ、上記第１掛止部は、上記外筒本体の筒部内周面に一体的に設けられた、掛止凸部と、この掛止凸部の両側に設けられた位置決め突起とからなる。
【００２３】
（５）上記第１掛止部と第２掛止部の周方向の位置決めを行うための位置決め用印が、上記外筒本体のフランジ部と上記ガラリ本体のガラリの前面に対応して設けられている。
【００２４】
（６）上記ガラリ本体のガラリに、ガラリ本体を上記外筒本体に対してガラリ前面側から着脱操作するための手指挿入部が設けられている。
【００２５】
（７）上記ガラリ本体の筒部の後端部に、上記フィルタを取付支持するためのフィルタ取付具が取外し可能に装着され、上記フィルタ取付具の前面側に、上記フィルタを囲繞保持するためのフィルタ保持部が形成されるとともに、上記ガラリ本体の装着部後端部に、上記フィルタ取付具に保持された上記フィルタの前面を当接支持する位置決め部が設けられている。
【００２６】
（８）上記フィルタ取付具は上記ガラリ本体の装着部後端部内周に嵌合する構造とされ、上記ガラリ本体の装着部後端縁と上記フィルタ取付具の外周に、互いに軸方向へ弾発的に係脱する第１および第２係合部がそれぞれ複数対応して設けられ、上記フィルタ取付具を上記ガラリ本体の装着部に対して軸方向へ挿入することにより、上記第１係合部が上記第２係合部にそれぞれ軸方向へ弾発的に係合して、上記フィルタ取付具が上記ガラリ本体に取外し可能に装着される。
【００２７】
（９）上記第１係合部は、上記ガラリ本体の装着部後端縁に設けられた周方向へ弾性変形可能な係合スリットの形態とされるとともに、その基端部に係合凹部が形成されてなり、上記第２係合部は、上記フィルタ取付具の外周に設けられた係合ピンの形態とされ、この係合ピンの外径寸法は、上記係合スリットの幅寸法よりも大きく、かつ上記係合凸部の内径寸法よりも小さく設定されている。
【００２８】
（１０）上記フィルタ取付具に、フィルタ取付具を手持ち操作するための手指挿入部が設けられている。
【００２９】
（１１）上記風量調整バルブは、上記外筒本体の筒部内に両端を取付け支持された支軸に、一対の弁体が開閉揺動可能に支持されてなり、上記弁体は平板状とされるとともに、その輪郭形状が上記筒部内周面の正面断面形状に沿った形状とされてなり、上記両弁体が最小開弁位置にあるとき、上記筒部の通気路は最大開度状態にあり、上記両弁体が最大開弁位置にあるとき、上記通気路は最小開度状態にあり、上記両弁体は、上記最小開弁位置と最大開弁位置との間でそれぞれ単独で揺動停止される構成とされている。
【００３０】
（１２）上記弁体は、上記外筒本体から上記ガラリ本体が取り外された状態において手動操作可能な構成とされ、上記弁体の外周部には、弁体を手動操作するための手指係合部が設けられている。
【発明の効果】
【００３１】
本発明の換気口装置は、家屋の壁、床または天井等に取り付けられて、室内の空気を換気するための換気口を構成する筒体形状のものであって、上記壁、床または天井等に設けられた貫通孔に取り付けられる外筒本体と、この外筒本体に軸方向へ取外し可能に装着されるガラリ本体とからなり、上記外筒本体の内部に、通気路の開度を調整する風量調整バルブが設けられ、上記ガラリ本体の後端部に、通気路を通る空気を濾過するフィルタが取外し可能に取り付けられ、上記外筒本体に上記ガラリ本体が装着一体化された状態において、上記フィルタが上記風量調整バルブの上流側に配置されているから、以下に列挙するような特有の効果が有効に発揮されて、フィルタを通気路の上流側に配置することにより、風量調整バルブの汚染がなく、風量調整能力および操作性にも優れ、ガラリ本体と外筒本体の分解組立が容易で、部品点数も少なく安価な換気口装置を提供することができる。
【００３２】
（１）外筒本体にガラリ本体が装着一体化された状態において、フィルタが風量調整バルブの上流側に配置されているから、フィルタの濾過機能が風量調整バルブに有効に作用して、排気される室内空気中のゴミ、塵埃などの汚染物質が風量調整バルブに付着することがなく、風量調整バルブの汚染がない。
【００３３】
（２）上記風量調整バルブは、上記外筒本体の内部に設けられているから、ガラリ本体を上記外筒本体から取り外すことにより、風量調整バルブに直接触れることができて、メンテナンスが容易であり、一般家庭などに使用される実状を考慮した場合、居住者でも熟練を要することなく風量調整バルブのメンテナンスをすることができる。
【００３４】
（３）上記（２）の特徴から、風量調整バルブを手動操作可能な簡単な構造とすることができ、故障が少ない。
【００３５】
（４）上記外筒本体の内周部と上記ガラリ本体の後端部に、互いに軸方向へ弾発的に係脱する第１および第２掛止部がそれぞれ設けられ、上記ガラリ本体を上記外筒本体に挿入することにより、上記両掛止部が軸方向へ弾発的に掛止して、上記ガラリ本体が上記外筒本体に一体的に装着される構造とすることにより、上記ガラリ本体の上記外筒本体にたいする着脱作業は、ガラリ本体を軸方向へ押込みまたは引っ張ることによりワンタッチで行うことができ、構造もきわめて簡素であり、故障が少ない。したがって、この換気口装置が一般家庭などに使用される実状を考慮した場合、居住者でも熟練を要することなく上記ガラリ本体の着脱が容易に行え、操作性が良好である。
【００３６】
（５）上記ガラリ本体の装着部の後端部に取外し可能に装着されるフィルタ取付具は、上記ガラリ本体の装着部後端部内周に嵌合する構造とされ、上記ガラリ本体の装着部後端縁と上記フィルタ取付具の外周に、互いに軸方向へ弾発的に係脱する第１および第２係合部がそれぞれ複数対応して設けられ、上記フィルタ取付具を上記ガラリ本体の装着部に対して軸方向へ挿入することにより、上記第１係合部が上記第２係合部にそれぞれ軸方向へ弾発的に係合して、上記フィルタ取付具が上記ガラリ本体に取外し可能に装着される構造とされることにより、上記フィルタ取付具のガラリ本体にたいする着脱作業は、フィルタ取付具を軸方向へ押込みまたは引っ張ることによりワンタッチで行うことができ、構造もきわめて簡素であり、故障が少ない。したがって、この換気口装置が一般家庭などに使用される実状を考慮した場合、居住者でも熟練を要することなく上記フィルタ取付具を簡単に着脱してフィルタの清掃や交換が行え、操作性が良好である。
【００３７】
（６）上記ガラリ本体の外筒本体に対する着脱操作が、ガラリ本体を軸方向へ押込みまたは引っ張ることにより行うことができる構造とすることにより、従来の換気口装置のように、ガラリ本体の外筒本体に対する着脱操作に、これら両者の相対的回転が含まれる構造に比較して、外筒本体およびガラリ本体の正面断面形状が円形に限定される必要がなく、正方形や矩形等の四角形、さらに多角形等も採用することができ、汎用性に富む外観デザインが採用可能である。
【００３８】
（７）換気口装置を構成する構成部品の部品点数が少なくて、製品コストを低く抑えることができる。
【図面の簡単な説明】
【００３９】
【図１】本発明の一実施形態である換気口装置の斜視図である。
【図２】同換気口装置の正面図である。
【図３】同換気口装置の図２におけるIII−III線に沿った断面図である。
【図４】同換気口装置の図２におけるIV−IV線に沿った断面図である。
【図５】同換気口装置の全体構成を示す分解斜視図である。
【図６】同換気口装置の外筒本体の内部構造を示す側面断面図である。
【図７】同換気口装置の風量調整バルブの開閉動作を説明するための斜視図である。
【図８】同換気口装置のガラリ本体とフィルタ取付具を示し、図８（ａ）はガラリ本体にフィルタ取付具を装着した状態を示す側面断面図、図８（ｂ）はガラリ本体とフィルタ取付具を分解して示す側面断面図である。
【図９】同換気口装置のガラリ本体の外筒本体の着脱動作を説明するための図で、図９（ａ）はガラリ本体と外筒本体の側面から見た断面図、図９（ｂ）はガラリ本体の内周側から見た平面図である。
【図１０】同換気口装置のガラリ本体とフィルタ取付具の着脱動作を説明するための図で、図１０（ａ）はガラリ本体の外周側から見た平面図、図１０（ｂ）はガラリ本体とフィルタ取付具の側面から見た断面図である。
【図１１】同換気口装置が家屋の床部の換気口に取り付けられた斜視図で、ガラリ本体を外筒本体から取り外した状態を示す。
【図１２】同換気口装置が家屋の床部の換気口に取り付けられた状態において、換気口装置を分解してメンテナンスする手順を説明するための斜視図である。
【図１３】従来の換気口装置を示し、図１３（ａ）は同全体構成を示す分解斜視図、図１３（ｂ）はガラリ本体の分解斜視図、図１３（ｃ）は同全体構成を示す側面断面図である。
【発明を実施するための形態】
【００４０】
以下、本発明の実施形態を図面に基づいて詳細に説明する。なお、図面全体にわたって同一の符号は同一の構成部材または要素を示している。
【００４１】
本発明に係る換気口装置が図１〜図１２に示されており、この換気口装置１は家屋の壁、床または天井等に取り付けられて、室内の空気を換気するための換気口を構成する筒体形状のものであって、具体的には、図１１に示されるように、家屋の床５０に設けられて、室内の空気を排気する排気口に適用される場合を示している。
【００４２】
この換気口装置１は、正面断面形状が円形を呈する円筒形状のものであって、ＡＢＳ樹脂、ポリプロピレン等のプラスチック材料からなる射出成型品であり、具体的には、外筒本体２およびガラリ本体３とからなり、内部に通気路１ａを備えるとともに、この通気路１ａに風量調整バルブ４およびフィルタ５を備えている。
【００４３】
ガラリ本体３は、後述するように、上記外筒本体２に対して軸方向へ取外し可能に装着一体化される構造とされ、これら両者２、３が組立一体化された状態において、上記フィルタ５が上記風量調整バルブ４の上流側に配置される配列構成とされている。
【００４４】
外筒本体２は、上記床５０に設けられた排気口としての貫通孔５１に取り付けられるもので、上記貫通孔５１に挿入固定される筒部６と、この筒部６の先端部に一体形成されて上記貫通孔５１の室内側開口周囲面に当接係合するフランジ部７とからなる。
【００４５】
上記筒部６は、上記貫通孔５１（図１１参照）に対応した円筒形状とされるとともに、その外径寸法が貫通孔５１の内径寸法よりも若干小さなほぼ同一寸法とされている。
【００４６】
この筒部６の外周後半部分には、環状の弾性シール部材８が嵌着されるとともに、この弾性シール部材８の前側の筒部６外周には、上記貫通孔５１に弾発係合するための係合バネ部材９が取り付けられている。
【００４７】
また、筒部６の内部後半部分には、上記風量調整バルブ４が設けられるとともに、この風量調整バルブ４の前側の筒部６内周面６ａには、後述するガラリ本体３の第２掛止部１１、１１、…と協働する第１掛止部１０が周方向へ等間隔をもって複数個（図示の場合は４個）設けられている。
【００４８】
上記弾性シール部材８は、上記貫通孔５１との密着気密性を確保するためのもので、筒部６の外周に密着嵌合されるとともに、上記貫通孔５１の内径寸法よりも若干大きな外径寸法を有する。
【００４９】
また、上記係合バネ部材９は、筒部６を上記貫通孔５１に弾発的に嵌合固定させるためのもので、その基端部が筒部６外周面に取付け固定されるとともに、その先端側が径方向へ弾性変形可能とされている。
【００５０】
上記フランジ部７は、上記筒部６の上記貫通孔５１の内径寸法よりも大きな外径寸法を有する円環状のもので、その後面が平面に形成されて、床５０の室内側面つまり上面に当接係合する構成とされている。
【００５１】
また、フランジ部７の前側内周部には、環状の段付き嵌合部７ａが形成されて、後述するガラリ本体３の段付き嵌合部３ａと嵌合する構造とされている。
【００５２】
そして、外筒本体２を床５０の貫通孔５１に取り付けるには、筒部６を貫通孔５１に挿入しながら、フランジ部７を床５０の上面に当接係合させる。この場合、上記筒部６が上記貫通孔５１に挿入される際に、上記弾性シール部材８および係合バネ部材９の先端側部位が上記貫通孔５１の内周面に摺動しながら挿入されて、上記フランジ部７が上記床５０の上面に当接係合すると、弾性シール部材８が貫通孔５１の内周面に密着嵌合するとともに、係合バネ部材９が貫通孔５１の内周面に弾発的に当接係合して、外筒本体２が貫通孔５１に対して位置決め固定される。この貫通孔５１に取り付けられた外筒本体２には、図外の排気ダクトが接続連通される。
【００５３】
ガラリ本体３は、上記外筒本体２に軸方向へ取外し可能に装着されるものであって、外筒本体２の筒部６内に挿入固定される装着部１２と、この装着部１２の先端部に一体形成されて、前記外筒本体２のフランジ部７に嵌合固定されるガラリ１３とからなる。
【００５４】
上記装着部１２は、上記外筒本体２の筒部６に挿入固定されるもので、筒部６の内周面６ａに対応した円筒形状とされるとともに、その外径寸法が上記内周面６ａの内径寸法よりも若干小さなほぼ同一寸法とされている。
【００５５】
また、装着部１２の後端縁には、前述したように、筒部６の第１掛止部１０、１０、…と協働する第２掛止部１１、１１、…が周方向へ等間隔をもって複数個（図示の場合は４個）設けられている。
【００５６】
これら第１および第２掛止部１０、１１の具体的構造が図９に示されている。
【００５７】
第１掛止部１０は、上記外筒本体２の筒部６の内周面６ａに一体的に設けられており、軸方向へ掛止凸部１０ａと、この掛止凸部１０ａの両側に設けられた位置決め突起１０ｂ、１０ｂとからなる。
【００５８】
第２掛止部１１は、径方向へ弾性変形可能とされるとともに、その先端部１１ａが掛止凸部の形態とされている。
【００５９】
そして、ガラリ本体３の装着部１２を外筒本体２の筒部６に対して軸方向へ挿入することにより、上記装着部１２の各第２掛止部１１が上記筒部６の各第１掛止部１０に対して、図９（ａ）および（ｂ）の（ｉ）→（ii）→（iii）に示すように弾性変形しながら軸方向へ弾発的に掛合して、これにより、ガラリ本体３が外筒本体２に一体的に装着される。
【００６０】
なお、上記第１掛止部１０の掛止凸部１０ａと第２掛止部１１の先端部１１ａは、図９に示すような三角形状断面を有して、前後軸方向（図面において左右方向）へ傾斜した二つの反対向き傾斜面からなるから、第１掛止部１０と第２掛止部１１は、前後軸方向へ所定の力をもって押込み、または引き抜くことで、弾発的な軸方向の掛止状態が得られ、またはこの掛止状態が解除される構造とされている。
【００６１】
換言すれば、上記のようにガラリ本体３を外筒本体２に対して軸方向へ所定の力をもって押し込むことで、ガラリ本体３が外筒本体２に一体的に装着されるとともに、これと逆に、ガラリ本体３を外筒本体２から軸方向へ所定の力をもって引き抜くことで、ガラリ本体３を外筒本体２から取り外すことができる。
【００６２】
上記ガラリ１３は、換気口装置１の室内側通気口を構成するもので、所定の通気構造を有する前面通気部１４を備える。
【００６３】
この前面通気部１４は、上記装着部１２の前端部から前方に向かって拡径する複数（図示の場合は５枚）の円環状羽根板１４ａ、１４ｂ、１４ｃ、１４ｄ、１４ｅが同心円状に配置されるとともに、中心部の円形部１４ｆから径方向へ十字状に延びる直線状リブ１４ｇ、１４ｈ、１４ｉ、１４ｊにより連結されてなる通気構造とされている。この通気構造は、図示のものに限定されず、適用すべき家屋の室内装飾に対応して適宜選択設計される。
【００６４】
上記前面通気部１４の最外径部つまり円環状羽根板１４ａは、上記装着部１２よりも大径部とされており、この大径部の後側外周部には、上記外筒本体２のフランジ部７の段付き嵌合部７ａに嵌合する環状の段付き嵌合部３ａが形成されている。
【００６５】
そして、ガラリ本体３を外筒本体２に挿入することにより、上述したように第１および第２掛止部１０、１１が軸方向へ弾発的に掛止すると同時に、上記両段付き嵌合部３ａ、７ａも嵌合して、ガラリ本体３が外筒本体２に一体的に装着されることとなる。
【００６６】
これに関連して、上記外筒本体２のフランジ部６と上記ガラリ本体３のガラリ１３の前面には、図２に示すように、上記第１掛止部１０、１０、…と第２掛止部１１、１１、…の周方向の位置決めを行うための位置決め用印１５a、１５bがそれぞれ対応して設けられている。
【００６７】
したがって、ガラリ本体３を外筒本体２に装着するに際しては、まず、ガラリ本体３の位置決め用印１５bを外筒本体２の位置決め用印１５aに合わせてから、ガラリ本３を外筒本体２に対して軸方向へ挿入することにより、上述したように第１および第２掛止部１０、１１が軸方向へ弾発的に掛止する。
【００６８】
また、ガラリ本体３のガラリ１３には、ガラリ本体３を外筒本体２に対してガラリ１３前面側から着脱操作するための手指挿入部１６ａ、１６ａが設けられている。図示の実施形態の手指挿入部１６ａ、１６ａは、前面通気部１４の円環状羽根板１４ｂの一直径線上の外周部に対向して設けられた一対の円弧状凹部の形態とされている。
【００６９】
風量調整バルブ４は、換気口装置１の通気路１ａの開度を調整するものであって、具体的には、上記外筒本体２の筒部６の内部に設けられている。
【００７０】
この風量調整バルブ４は、上記筒部６内周面６aに両端を取付け支持された支軸２０に、一対の弁体２１、２１が開閉揺動可能に支持されてなる。
【００７１】
上記一対の弁体２１、２１は同一形状の平板状とされ、その輪郭形状が上記筒部６の内周面６aの正面断面形状に沿った半円弧形状とされてなるとともに、その基端軸受部２１aが上記支軸２０に揺動可能に軸支されてなる。
【００７２】
上記支軸２０の外周面および弁体２１の基端軸受部２１aの内周面には、互いに対応した形状寸法のセレーション状の弾発係合構造が形成されており、これにより、弁体２１は支軸２０に対して回転方向へ弾発的な係合状態にある。したがって、この弁体２１は、上記支軸２０に対して所定の回転方向への力を加えることで、支軸２０に対して弾発的に揺動可能とされるとともに、回転方向力を解除すると、支軸２０に対して固定的に支持される。
【００７３】
このような構成とされた風量調整バルブ４は、図７に示すように、（i）の両弁体２１、２１が完全に閉じた最小開弁位置から、（vi）の両弁体２１、２１が最大限度開いた最大開弁位置まで、上記セレーション状の弾発係合構造により得られる微小調整角度をもって弁体２１、２１の任意の開弁位置（例えば、（ii）および（iii）の中間開弁位置）を適宜取ることができる。
【００７４】
そして、両弁体２１、２１が最小開弁位置にあるとき（図７（ｉ））、上記筒部６の通気路１ａは最大開度状態にあり、上記両弁体２１、２１が最大開弁位置にあるとき（図７（vi））、上記通気路１ａは最小開度状態にあり（図７（ｉ））、両弁体２１、２１は、上記最小開弁位置と最大開弁位置との間でそれぞれ単独でかつ任意に揺動停止される構成とされている。
【００７５】
上記風量調整バルブ４の両弁体２１、２１は、外筒本体２からガラリ本体３が取り外された状態において手指による手動操作可能な構成とされており、この目的のため、上記弁体２１、２１の外周部には、弁体２１、２１を手動操作するための円弧状の手指係合部２１ｂ、２１ｂが設けられている。
【００７６】
フィルタ５は、換気口装置１の通気路１ａを通る空気を濾過するものであって、上記ガラリ本体３の後端部に取外し可能に取り付けられる。
【００７７】
具体的には、上記ガラリ本体３の装着部１２の後端部に、前記フィルタ５を取付支持するためのフィルタ取付具２５が取外し可能に装着されてなる。
【００７８】
このフィルタ取付具２５は、上記ガラリ本体３の装着部１２後端部内周に嵌合する構造とされ、その前面側に、上記フィルタ５を囲繞保持するためのフィルタ保持部２５ａが形成されている。
【００７９】
これに関連して、上記ガラリ本体３の装着部１２の後端部には、上記フィルタ取付具２５に保持されたフィルタ５の前面を当接支持する位置決め部２６が設けられている。この位置決め部２６は、上記前面通気部１４の円形部１４ｆが後方へ延びて形成されている。
【００８０】
したがって、フィルタ５を保持した上記フィルタ取付具２５が上記ガラリ本体３の装着部１２の後端部に装着された状態において、フィルタ５は前面を上記位置決め部２６により当接位置決め支持された状態で、上記フィルタ取付具２５のフィルタ保持部２５ａに囲繞保持される。
【００８１】
上記ガラリ本体３の装着部１２の後端縁と前記フィルタ取付具２５の外周には、互いに軸方向へ弾発的に係脱する第１係合部２７と第２係合部２８がそれぞれ複数対応して設けられている。
【００８２】
図示の実施形態においては、装着部１２の後端縁には、第１係合部２７、２７、…が周方向へ等間隔をもって複数個（図示の場合は４個）設けられている。また、フィルタ取付具２５の外周には、上記第１係合部２７、２７、…と協働する第２係合部２８、２８、…が周方向へ等間隔をもって複数個（図示の場合は４個）設けられている。
【００８３】
これら第１および第２係合部２７、２８の具体的構造が図１０に示されている。
【００８４】
第１係合部２７は、上記ガラリ本体３の装着部１２後端縁に切欠き状に設けられて、周方向へ弾性変形可能な係合スリットの形態とされるとともに、その基端部に係合凹部２７ａが形成されてなる。
【００８５】
第２係合部２８は、上記フィルタ取付具２５の外周に設けられた係合ピンの形態とされ、この係合ピン２８の外径寸法は、上記係合スリット２７の幅寸法よりも大きく、かつ上記係合凸部２７ａの内径寸法よりも小さく設定されている。
【００８６】
そして、フィルタ取付具２５をガラリ本体３の装着部１２に対して軸方向へ挿入することにより、上記フィルタ取付具２５の各第２係合部２８が上記装着部１２の各第１係合部２８に対して、図１０（ａ）および（ｂ）の（ｉ）→（ii）→（iii）に示すように第１係合部２７を周方向へ弾性変形させながら、軸方向へ弾発的に係合して、これにより、フィルタ取付具２５がガラリ本体３に一体的に装着される。
【００８７】
上記フィルタ取付具２５には、フィルタ取付具２５を手持ち操作するための手指挿入部２９ａ、２９ａが設けられている。図示の実施形態の手指挿入部２９ａ、２９ａは、フィルタ取付具２５の一直径線上に設けられた一対の円形孔の形態とされている。
【００８８】
しかして、以上のように構成された換気口装置１は、図１１に示すように、家屋の床５０に設けられた排気口としての貫通孔５１に取り付けられて、室内の空気を換気するための換気口を構成する。この換気装置１の取付け状態、つまり外筒本体２にガラリ本体３が装着一体化された状態において、フィルタ５が風量調整バルブ４の上流側に配置されている。
【００８９】
また、換気口装置１は、上記外筒本体２が上記貫通孔５１に取付け固定されるとともに、この外筒本体２に上記ガラリ本体３が軸方向つまり上下方向へ取外し可能に装着されており、定期的なまたは適宜の清掃と調整作業が、一例として以下の手順で行われる（図１２参照）。
【００９０】
（１）手指にて、ガラリ本体３の手指挿入部１６ａ、１６ａを掴み、そのまま上に持ち上げることにより、第１および第２掛止部１０、１１、…の弾発的な軸方向の掛止状態が解除されて、ガラリ本体３を外筒本体２から取り外して引き上げることができる（図１２（ｉ））。
【００９１】
（２）この引き上げたガラリ本体３の装着部１２からフィルタ取付具２５を取り外す（図１２（ii））。この場合、フィルタ取付具２５の手指挿入部２９ａ、２９ａを手指にて掴んで引き抜くことで（図１２（ii）の左図参照）、第１および第２係合部２７、２８、…の弾発的な軸方向の係合状態が解除されて、フィルタ５を保持したフィルタ取付具２５を，上記ガラリ本体３の装着部１２から取り外すことができる（図１２（ii）の左図参照）。
【００９２】
（３）フィルタ取付具２５からフィルタ５を取り外して、掃除機による埃の除去、または洗浄による目詰まり汚れの除去を行う。あるいは、フィルタ５が寿命で使用不可能な場合は新しいフィルタ５と交換する。
【００９３】
（４）清掃が済んだフィルタ５または新しいフィルタ５をフィルタ取付具２５にセットした後、このフィルタ取付具２５をガラリ本体３の装着部１２に取り付ける（図１２（iii））。この場合、フィルタ取付具２５の手指挿入部２９ａ、２９ａを手指にて掴んで、第１および第２係合部２７、２８、…を合わせながら（図１２（iii）の左図参照）、フィルタ取付具２５をガラリ本体３の装着部１２に押し込むことで、第１および第２係合部２７、２８、…が軸方向に弾発的に係合して、フィルタ取付具２５がガラリ本体３の装着部１２に装着される（図１２（iii）の右図参照）。
【００９４】
（５）ガラリ本体３の取付け前、つまりガラリ本体３を外筒本体２から取り外した状態において、外筒本体２内の風量調整バルブ４を調整操作して、通気路１ａの風量調整を行う（図１２（iv））。
【００９５】
この風量調整バルブ４の調整操作は手指による手作業で行われ、弁体２１、２１の手指係合部２１ｂ、２１ｂに手指を掛けて、両弁体２１、２１が完全に閉じた最小開弁位置（図１２（iv）の左図参照）から最大限度開いた最大開弁位置（図１２（iv）の右図参照）までの間で、両弁体２１、２１の開く角度を目的に応じて適宜調整して、換気口装置１の通気路１ａの開度調整つまり風量調整を行う。
【００９６】
（６）ガラリ本体３を外筒本体２に装着する（図１２（ｖ））。この場合、まず、ガラリ本体３の位置決め用印１５bを外筒本体２の位置決め用印１５aに合わせながら（図１２（ｖ）の左図参照）、ガラリ本３を外筒本体２に対して軸方向へ挿入することで（図１２（ｖ）の右図参照）、第１および第２掛止部１０、１１が軸方向へ弾発的に掛止して、ガラリ本体３が外筒本体２に装着一体化される。
【００９７】
以上のように、本実施形態の換気口装置１によれば、家屋の壁、床または天井等に取り付けられて、室内の空気を換気するための換気口を構成する筒体形状のものであって、上記壁、床または天井等に設けられた貫通孔に取り付けられる外筒本体２と、この外筒本体２に軸方向へ取外し可能に装着されるガラリ本体３とからなり、上記外筒本体２の内部に、通気路１ａの開度を調整する風量調整バルブ４が設けられ、上記ガラリ本体３の後端部に、通気路１ａを通る空気を濾過するフィルタ５が取外し可能に取り付けられ、上記外筒本体２に上記ガラリ本体３が装着一体化された状態において、上記フィルタ５が上記風量調整バルブ４の上流側に配置されているから、以下に列挙するような特有の効果が有効に発揮されて、フィルタ５を通気路１ａの上流側に配置することにより、風量調整バルブ４の汚染がなく、風量調整能力および操作性にも優れ、ガラリ本体３と外筒本体２の分解組立が容易で、部品点数も少なく安価な換気口装置１を提供することができる。
【００９８】
（ａ）外筒本体２にガラリ本体３が装着一体化された状態において、フィルタ５が風量調整バルブ４の上流側に配置されているから、フィルタ５の濾過機能が風量調整バルブ４に有効に作用して、排気される室内空気中のゴミ、塵埃などの汚染物質が風量調整バルブ４に付着することがなく、風量調整バルブ４の汚染がない。
【００９９】
（ｂ）上記風量調整バルブ４は、上記外筒本体２の内部に設けられているから、ガラリ本体３を上記外筒本体２から取り外すことにより、風量調整バルブ４に直接触れることができて、メンテナンスが容易であり、一般家庭などに使用される実状を考慮した場合、居住者でも熟練を要することなく風量調整バルブ４のメンテナンスをすることができる。
【０１００】
（ｃ）上記（ｂ）の特徴から、風量調整バルブ４を手動操作可能な簡単な構造とすることができ、故障が少ない。
【０１０１】
（ｄ）上記外筒本体２の内周部と上記ガラリ本体３の後端部に、互いに軸方向へ弾発的に係脱する第１および第２掛止部１０、１１がそれぞれ設けられ、上記ガラリ本体３を上記外筒本体２に挿入することにより、上記両掛止部１０、１１が軸方向へ弾発的に掛止して、上記ガラリ本体３が上記外筒本体２に一体的に装着される構造とすることにより、上記ガラリ本体３の上記外筒本体２に対する着脱作業は、ガラリ本体３を軸方向へ押込みまたは引っ張ることによりワンタッチで行うことができ、構造もきわめて簡素であり、故障が少ない。したがって、この換気口装置１が一般家庭などに使用される実状を考慮した場合、居住者でも熟練を要することなく上記ガラリ本体３の着脱が容易に行え、操作性が良好である。
【０１０２】
（ｅ）上記ガラリ本体３の装着部１２の後端部に取外し可能に装着されるフィルタ取付具２５は、上記ガラリ本体３の装着部１２の後端部内周に嵌合する構造とされ、上記ガラリ本体３の装着部１２の後端縁と上記フィルタ取付具２５の外周に、互いに軸方向へ弾発的に係脱する第１および第２係合部２７、２８がそれぞれ複数対応して設けられ、上記フィルタ取付具２５を上記ガラリ本体３の装着部１２に対して軸方向へ挿入することにより、上記第１係合部２７が上記第２係合部２８にそれぞれ軸方向へ弾発的に係合して、上記フィルタ取付具２５が上記ガラリ本体３に取外し可能に装着される構造とされることにより、上記フィルタ取付具２５のガラリ本体３に対する着脱作業は、フィルタ取付具２５を軸方向へ押込みまたは引っ張ることによりワンタッチで行うことができ、構造もきわめて簡素であり、故障が少ない。したがって、この換気口装置１が一般家庭などに使用される実状を考慮した場合、居住者でも熟練を要することなく上記フィルタ取付具２５を簡単に着脱してフィルタ５の清掃や交換が行え、操作性が良好である。
【０１０３】
（ｆ）上記ガラリ本体３の外筒本体２に対する着脱操作が、ガラリ本体３を軸方向へ押込みまたは引っ張ることにより行うことができる構造とすることにより、従来の換気口装置のように、ガラリ本体の外筒本体に対する着脱操作に、これら両者の相対的回転が含まれる構造に比較して、外筒本体２およびガラリ本体３の正面断面形状が円形に限定される必要がなく、正方形や矩形等の四角形、さらに多角形等も採用することができ、汎用性に富む外観デザインが採用可能である。
【０１０４】
（ｇ）換気口装置１を構成する構成部品の部品点数が少なくて、製品コストを低く抑えることができる。
【０１０５】
なお、上述した実施形態はあくまでも本発明の好適な実施態様を示すものであって、本発明はこれらに限定されることなく、その範囲内で種々の設計変更が可能であり、例えば以下のような改変が可能である。
【符号の説明】
【０１０６】
１                    換気口装置
１ａ                  換気口装置の通気路
２                    外筒本体
３                    ガラリ本体
４                    風量調整バルブ
５                    フィルタ
６                    外筒本体の筒部
６ａ                  筒部の内周面
７                    外筒本体のフランジ部
８                    弾性シール部材
９                    係合バネ部材
１０ｂ                第１掛止部の掛止凸部
１０ａ                第１掛止部の位置決め突起
１１                  第２掛止部
１１ａ                第２掛止部の掛止凸部
１２                  ガラリ本体の装着部
１３                  ガラリ
１４                  前面通気部
１５ａ、１５ｂ        位置決め用印
１６ａ                手指挿入部
２０                  風量調整バルブの支軸
２１                  風量調整バルブの弁体
２５                  フィルタ取付具
２５ａ                フィルタ取付具のフィルタ保持部
２６                  位置決め部
２７                  第１係合部
２７ａ                係合凹部
２８                  第２係合部
２９ａ                手指挿入部
５０                  家屋の床
５１                  床の貫通孔
【図１】
2020204426.tif 000003
【図２】
2020204426.tif 000004
【図３】
2020204426.tif 000005
【図４】
2020204426.tif 000006
【図５】
2020204426.tif 000007
【図６】
2020204426.tif 000008
【図７】
2020204426.tif 000009
【図８】
2020204426.tif 000010
【図９】
2020204426.tif 000011
【図１０】
2020204426.tif 000012
【図１１】
2020204426.tif 000013
【図１２】
2020204426.tif 000014
【図１３】
2020204426.tif 000015